(57)【要約】【課題】受信地域に応じたチャンネルリストを安価かつ容易に自動選択することが可能な可搬型の地上デジタル放送受信装置を提供する。【解決手段】チャンネルリスト記憶部（１８）は、各放送局の識別情報を含むチャンネルリストを複数の受信地域ごとに記憶している。チューナ（１２）は、制御部（１７）が選択したチャンネルリスト中の複数のチャンネルから指示されたものを選局する。復調部（１３）は、当該選局チャンネルでの受信信号から受信データを復調する。受信データ処理部（１４）は、当該受信データから放送局の識別情報を抽出する。制御部（１７）は、当該選局チャンネルが切り替わるとき、チャンネルリスト記憶部（１８）に記憶された複数のチャンネルリストの中から当該切り替わり後のチャンネルについて受信データ処理部（１４）が抽出した識別情報を含むいずれか一つを選択し、当該選択したチャンネルリストに切り替える。【選択図】図１
2008078868.tif 000002
【特許請求の範囲】
【請求項１】
各放送局の識別情報を含むチャンネルリストを複数の受信地域ごとに記憶しているチャンネルリスト記憶部と、
前記チャンネルリストを生成する機能及び前記複数のチャンネルリストの中からいずれか一つのチャンネルリストを選択する機能を有する制御部と、
前記制御部によって選択されたチャンネルリストに含まれる複数のチャンネルの中から指示されたチャンネルを選局するチューナと、
前記チューナによって選局されたチャンネルを通じて受信した信号から受信データを復調する復調部と、
前記復調部によって復調された受信データから放送局の識別情報を抽出する受信データ処理部とを備え、
前記制御部は、前記チューナによって選局されるチャンネルが切り替わるとき、前記チャンネルリスト記憶部に記憶された複数のチャンネルリストの中から、当該切り替わり後のチャンネルについて前記受信データ処理部によって抽出された識別情報を含むいずれか一つを選択し、当該選択したチャンネルリストへの切り替えを行う
ことを特徴とする地上デジタル放送受信装置。
【請求項２】
請求項１に記載の地上デジタル放送受信装置において、
前記制御部は、現在選択されているチャンネルリストから別のチャンネルリストへの切り替えを行う前にチャンネルリストの切り替え許可を求め、当該許可を得たとき、当該切り替えを行う
ことを特徴とする地上デジタル放送受信装置。
【発明の詳細な説明】
【技術分野】
【０００１】
本発明は、地上デジタル放送受信装置に関し、特に、複数のチャンネルリストを適宜切り替えて使用する可搬型の地上デジタル放送受信装置に関する。
【背景技術】
【０００２】
ＢＳ放送、ＣＳ放送に続いて、地上波放送についてもデジタル放送（地上デジタル放送）が開始された。地上デジタル放送では、映像や音声以外にニュースや天気予報などのデータも合わせて受信することが可能であり、新しいサービスが生み出されている。特に、地上デジタル放送ではモバイル機器向けのいわゆるワンセグ放送が提供されており、これに伴い、携帯電話を初めとする携帯型電子機器は地上デジタル放送の受信機能を備えるようになってきている。
【０００３】
地上デジタル放送は、非常に多くのチャンネルの中から目的のチャンネルを容易に選択できるように、周波数に基づいた物理チャンネルではなくリモコンなどの入力部による選局を想定した入力部のチャンネル番号をユーザに意識させるようになっている。このため、地上デジタル放送受信装置では、ある地域において受信可能なチャンネルのリストと入力部のチャンネル番号とを一対一で対応させたリスト（チャンネルリスト）をあらかじめ作成しておき、ユーザはこのチャンネルリストに基づいて所望のチャンネルを指定するようになっている。地上デジタル放送ではチャンネルごとに地域コードや県域コードなどの補助情報が付加されており、チャンネルリストはこれら補助情報に基づいて作成することができる。
【０００４】
地上デジタル放送では受信地域ごとに配置された各放送局から放送波が送信される。このため、可搬型の地上デジタル放送受信装置では装置の移動によって受信地域が変わると、受信可能なチャンネルも変わってしまう。したがって、可搬型の地上デジタル放送受信装置では、複数のチャンネルリストを用意しておき、受信地域に合わせて最適なチャンネルリストを選択して使用することが必要となる。
【０００５】
最適なチャンネルリストの選択のためにユーザが地域や県域を入力することが考えられる。しかし、ユーザは必ずしも現在位置を把握しているとは限らず、また、ユーザに情報入力といった負担を強いることとなるため好ましくない。また、補助情報に含まれる地域コードや県域コードを用いて最適なチャンネルリストを自動的に選択することが考えられる。しかし、中継局を持つ地方や複数の県域をまたぐ地方などでは、ユーザによるチャンネルリストの編集が必要であったり、チャンネルリストの自動選択ができない場合があるため、補助情報の利用という利点を十分に活用することができない。また、手動選択の例として、受信地域が変わったときに新たな受信地域についてのチャンネルリストを生成し、ユーザから地域対応切り替え指令に応じてチャンネルリストを切り替える移動体用デジタル放送受信装置が公知である（例えば、特許文献１参照）。
【特許文献１】特開２００４―６４５９０号公報
【発明の開示】
【発明が解決しようとする課題】
【０００６】
可搬型の地上デジタル放送受信装置においてユーザに負担を強いることなく最適なチャンネルリストを自動的に選択するために、例えば、ＧＰＳや携帯電話網などを活用して装置が所在する緯度や経度などを特定することも考えられる。しかし、ＧＰＳ機能を追加することは装置のコスト高につながり、また、形態電話網を利用するとその都度通信料金が発生するため好ましくない。
【０００７】
上記問題に鑑み、本発明は、可搬型の地上デジタル放送受信装置について、受信地域に応じたチャンネルリストを安価かつ容易に自動選択することを課題とする。
【課題を解決するための手段】
【０００８】
上記課題を解決するために本発明が講じた手段は、地上デジタル放送受信装置として、各放送局の識別情報を含むチャンネルリストを複数の受信地域ごとに記憶しているチャンネルリスト記憶部と、チャンネルリストを生成する機能及び複数のチャンネルリストの中からいずれか一つのチャンネルリストを選択する機能を有する制御部と、制御部によって選択されたチャンネルリストに含まれる複数のチャンネルの中から指示されたチャンネルを選局するチューナと、チューナによって選局されたチャンネルを通じて受信した信号から受信データを復調する復調部と、復調部によって復調された受信データから放送局の識別情報を抽出する受信データ処理部とを備えたものとする。ここで、制御部は、チューナによって選局されるチャンネルが切り替わるとき、チャンネルリスト記憶部に記憶された複数のチャンネルリストの中から、当該切り替わり後のチャンネルについて受信データ処理部によって抽出された識別情報を含むいずれか一つを選択し、当該選択したチャンネルリストへの切り替えを行う。
【０００９】
これによると、チューナによって選局されるチャンネルの切り替わりをトリガとして、チャンネルリスト記憶部に記憶された複数のチャンネルリスト、すなわち、過去に作成されたチャンネルリストの中から現在の受信地域に応じたものが自動的に選択される。
【００１０】
好ましくは、制御部は、現在選択されているチャンネルリストから別のチャンネルリストへの切り替えを行う前にチャンネルリストの切り替え許可を求め、当該許可を得たとき、当該切り替えを行うものとする。これにより、ユーザの意志を尊重したチャンネルリストの切り替えが可能となる。
【発明の効果】
【００１１】
以上説明したように、本発明によると、可搬型の地上デジタル放送受信装置において、受信地域に応じたチャンネルリストを安価かつ容易に自動選択する機能を実現することができる。
【発明を実施するための最良の形態】
【００１２】
以下、本発明を実施するための最良の形態について、図面を参照しながら説明する。図１は、本発明に係る地上デジタル放送受信装置の構成例を示す。本受信装置は、アンテナ１１、チューナ１２、復調部１３、受信データ処理部１４、デコード処理部１５、出力部１６、制御部１７、チャンネルリスト記憶部１８及び入力部１９を備えている。
【００１３】
アンテナ１１は地上デジタル放送波を受信する。チューナ１２は当該受信した放送波を制御部１７によって指定されたチャンネルに対応する周波数を同調させることにより、所望のチャンネルを選局する。復調部１３は当該選局されたチャンネルを通じて受信した信号から受信データ、具体的には、トランスポートストリーム（ＴＳ）を復調する。当該ＴＳは、映像、音声その他のデータが多重化されたものである。受信データ処理部１４はＴＳを映像、音声などの各種データに分離する。デコード処理部１５は当該分離された各種データをデコードする。出力部１６は当該デコードされた信号をユーザが認識し得る形態で出力する。具体的には、画面に映像を表示し、スピーカから音声を出力する。
【００１４】
ＴＳには放送局の識別情報や番組情報などが記されたＰＳＩ（Program Specific Information）／ＳＩ（Service Information）が含まれている。受信データ処理部１４はＴＳからＰＳＩ／ＳＩを分離する機能も有しており、抽出した放送局の情報や番組の情報などを出力部１６を通じてユーザに提示する。具体的には、画面に、例えば、選局したチャンネルがどのような放送局であり、どのような番組を放映しているかが表示される。
【００１５】
チャンネルリスト記憶部１８は、図２に示したような受信地域に対応したチャンネルリストを複数記憶している。すなわち、チャンネルリスト記憶部１８は、ある受信地域で受信可能なチャンネルと、入力部１９の入力番号（図２ではリモコン番号）と、各チャンネルとが一対一に対応したリストを、複数の受信地域ごとに記憶している。具体的には、チャンネルリスト記憶部１８には、図３に示したようなデータ構造で複数のチャンネルリストが記録されている。すなわち、各チャンネルリストはヘッダ及びリスト情報から構成されている。ヘッダは、現在使用設定中であることを示す設定中フラグ、チャンネルリスト名、チャンネルリスト作成日、当該チャンネルリストに含まれるチャンネル数などの情報を含む。特に、設定中フラグはそのチャンネルリストが選択されアクティブになっているか否かを示すものである。また、リスト情報は、各チャンネルについて、物理チャンネル番号、ＴＳＩＤ、３桁チャンネル番号、簡易ロゴ、ＴＳ名などの情報を含む。
【００１６】
図１に戻り、入力部１９はユーザからのチャンネル選択などの操作を受け付け、制御部１７にユーザからの操作を伝達する。制御部１７はチャンネルサーチ処理によりチャンネルリストを生成する。具体的には、制御部１７はチューナ１２に対して任意の物理チャンネルを指示し、チューナ１２が同調に成功した場合、制御部１７は、受信データ処理部１４からＰＳＩ／ＳＩなどの各種情報を受け、これら情報をチャンネルリスト記憶部１８に書き込む。この処理をすべての物理チャンネルについて実行することで、現在の受信地域におけるチャンネルリストが生成される。
【００１７】
また、制御部１７は、チューナ１２によって選局されるチャンネルが切り替わるとき、チャンネルリスト記憶部１８に記憶された複数のチャンネルリストの中から、当該切り替わり後のチャンネルについて受信データ処理部１４によって抽出された識別情報を含むいずれか一つを選択する。すなわち、制御部１７は、チャンネルの切り替わりをトリガとして最適なチャンネルリストを自動的に選択する。以下、制御部１７によるチャンネルリストの自動選択について、図４のフローチャートを参照しながら説明する。
【００１８】
まず、例えば、本受信装置の移動などによりそれまで受信していたチャンネルが受信できなくなったことにより、ユーザによる操作又は自動でチャンネル切り替えが行われる。そして、切り替え後のチャンネルが現在使用中のチャンネルリストに含まれるか否かが判定される（Ｓ１１）。当該判定は、例えば、切り替え後のチャンネルについて受信データ処理部１４によって抽出された物理チャンネル番号及びＴＳＩＤが、判定対象のチャンネルリストに含まれる情報と一致するか否かを検証することで実施可能である。
【００１９】
切り替え後のチャンネルが現在使用中のチャンネルリストに含まれていないとき（Ｓ１１のＮＯ肢）、チャンネルリスト記憶部１８に記憶されている別のチャンネルリストに当該チャンネルが含まれているか否かが判定される（Ｓ１２）。これは、該当するチャンネルリストが見つかるか又は判定対象のチャンネルリストがなくなるまで継続される。そして、切り替え後のチャンネルが別のチャンネルリストに含まれているとき（Ｓ１２のＹＥＳ肢）、本受信装置は当該別のチャンネルリストに対応する受信地域に移動したものとみなして、ユーザに対してチャンネルリストを切り替えるべきか確認をする（Ｓ１３）。具体的には、出力部１８にチャンネルリスト切り替えの可否を求める表示をし、ユーザは入力部１９から許可又は拒否の入力を行う。そして、チャンネルリスト切り替え許可が得られたとき（Ｓ１４のＹＥＳ肢）、チャンネルリストの切り替えが実行される（Ｓ１５）。チャンネルリストの切り替えは、上述したチャンネルリストの設定中フラグを書き換えることで実施可能である。
【００２０】
なお、切り替え後のチャンネルが現在使用中のチャンネルリストに含まれている場合には（Ｓ１１のＹＥＳ肢）、本受信装置は現在使用中のチャンネルリストに対応する受信地域にあるものとみなして、チャンネルリストの切り替えは行われない。また、切り替え後のチャンネルがチャンネルリスト記憶部１８に記憶されたいずれのチャンネルリストにも含まれない場合には（Ｓ１２のＮＯ肢）、新たに放送が開始されたか又はまだチャンネルリストが作成されていない受信地域に移動したものとみなして、チャンネルリストの切り替えは行われない。また、ユーザがチャンネルリストの切り替えを拒否した場合には（Ｓ１４のＮＯ肢）、チャンネルリストの切り替えは行われない。
【００２１】
以上、本実施形態によると、チャンネルの切り替わりをトリガとして、過去に作成されたチャンネルリストの中から現在の受信地域に応じた最適なものが選択される。
【００２２】
なお、チャンネルリスト切り替えの際にユーザの許可が不要の場合には、図４に示したステップＳ１３及びＳ１４の処理を省略してもよい。この場合、チャンネルリストの切り替えは完全に自動実行されることとなる。
【産業上の利用可能性】
【００２３】
本発明に係る地上デジタル放送受信装置は、受信地域に応じた最適なチャンネルリストを自動選択することができるため、地上デジタル放送受信機能を備えた携帯電話機、カーナビゲーション装置などとして有用である。
【図面の簡単な説明】
【００２４】
【図１】本発明に係る地上デジタル放送受信装置の構成図である。
【図２】チャンネルリストの一例を示す。
【図３】チャンネルリストのデータ構造を示す。
【図４】チャンネルリストの自動選択のフローチャートである。
【符号の説明】
【００２５】
１２  チューナ
１３  復調部
１４  受信データ処理部
１７  制御部
１８  チャンネルリスト記憶部
【図１】
2008078868.tif 000003
【図２】
2008078868.tif 000004
【図３】
2008078868.tif 000005
【図４】
2008078868.tif 000006